(57)【要約】【課題】液体容器の内側から冷却効果を高めることのできるホルダーを提供すること。また、できれば洗いやすいこと。【解決手段】蓄冷剤５を封入してある棒状の冷却スティック２を、上方が開口している液体容器１の内部に立つようにする合成樹脂製の液体容器用ホルダー３であって、  液体容器１の口部１１ａに対して着脱可能となる取付部４１と、冷却スティック２を着脱可能に保持するスティック保持部３１と、取付部４１とスティック保持部３１とを連続する連結部４２とを設け、スティック保持部３１は、冷却スティック２の鍔部２２の外側を囲む周片３４と、周片３４に連続し且つ鍔部２２の上側に位置する上片３２と、周片３４に連続し且つ鍔部２２の下側に位置する下片３３とを備えていることを特徴とする液体容器用ホルダー。【選択図】      図１
2010070202.tif 000002
【特許請求の範囲】
【請求項１】
蓄冷剤（５）を封入してある棒状の冷却スティック（２）を、上方が開口している液体容器（１）の内部に立つようにする合成樹脂製の液体容器用ホルダー（３）であって、
液体容器（１）の口部（１１ａ）に対して着脱可能となる取付部（４１）と、冷却スティック（２）を着脱可能に保持するスティック保持部（３１）と、取付部（４１）とスティック保持部（３１）とを連続する連結部（４２）とを設け、
スティック保持部（３１）は、冷却スティック（２）の鍔部（２２）の外側を囲む周片（３４）と、周片（３４）に連続し且つ鍔部（２２）の上側に位置する上片（３２）と、周片（３４）に連続し且つ鍔部（２２）の下側に位置する下片（３３）とを備えていることを特徴とする液体容器用ホルダー。
【請求項２】
スティック保持部（３１）は、各々複数の上片（３２）と下片（３３）を周片（３４）の周方向に沿って間隔を有して配列し、この配列と合成樹脂の弾力性によって上片（３２）と下片（３３）の間に鍔部（２２）を着脱可能にすることを特徴とする請求項１記載の液体容器用ホルダー。
【請求項３】
取付部（４１）は、液体容器（１）の口部（１１ａ）の内面に載置するストッパー片であることを特徴とする請求項１または２記載の液体容器用ホルダー。
【発明の詳細な説明】
【技術分野】
【０００１】
本発明は、上方が開口している液体容器、たとえばピッチャー、大・中ジョッキ等に用いるホルダーであって、液体内に冷却スティックを立った状態で保持するものである。
【背景技術】
【０００２】
上方が開口している従来の液体容器としては、側壁および底壁を二重壁構造とし、二重壁の間に空室を設けたものが知られている（特許文献１参照）。この構造は、側壁や底壁の外側から伝わる熱を液体に伝え難くすることを、目的とするものである。
【０００３】
別の従来の液体容器としては、液体の冷却効果をさらに高めるため、あるいは冷やされた液体の温度を一定時間に亘り維持し得るように、二重壁構造の空室に冷媒を入れるものも知られている（特許文献２参照）。
【０００４】
これら一連の液体容器は、液体容器自体に対して断熱効果や冷却効果を図るものである。そこで、別の手法で液体を保冷したり、冷却効果を高めたりすることを本発明者は考え、液体容器内の液体を直接冷却することに思い至った。
【０００５】
冷却効果の向上を、従来までのように液体容器の形状によって達成するのではなく、液体を直接冷却することによって達成するには別の観点からの工夫が必要である。そこで、本発明者は液体容器とは別体のホルダーを用いることを思い付いた。
【０００６】
なお、液体容器は使用の都度、洗浄され、反復利用されるものである。したがって、ホルダーも同様に用いられることが想定され、洗いやすいものが望まれる。
【０００７】
【特許文献１】実開昭５９−２３３７５号公報
【特許文献２】実開昭６１−３４０８０号公報
【発明の開示】
【発明が解決しようとする課題】
【０００８】
本発明は上記実情を考慮して創作されたものであり、その目的は液体を直接、冷却したり保冷したりすることのできるホルダーを提供することである。また、できれば洗いやすいことが望まれる。
【課題を解決するための手段】
【０００９】
本発明は、蓄冷剤を封入してある棒状の冷却スティックを、上方が開口している液体容器の内部に立つようにする合成樹脂製の液体容器用ホルダーに関する。
【００１０】
そして、請求項１の発明は、液体容器の口部に対して着脱可能となる取付部と、冷却スティックを着脱可能に保持するスティック保持部と、取付部とスティック保持部とを連続する連結部とを設け、スティック保持部は、冷却スティックの鍔部の外側を囲む周片と、周片に連続し且つ鍔部の上側に位置する上片と、周片に連続し且つ鍔部の下側に位置する下片とを備えていることを特徴とする。
【００１１】
スティック保持部は、周片、上片、および下片によって鍔部を着脱可能に保持するものである。着脱可能に保持する構造は、バヨネット式マウントであっても良いし、請求項２のようにしても良い。すなわち、請求項２の発明において、スティック保持部は、各々複数の上片と下片を周片の周方向に沿って間隔を有して配列し、この配列と合成樹脂の弾力性によって上片と下片の間に鍔部を着脱可能にするものである。
【００１２】
また、取付部は、液体容器の口部に嵌合するものであっても良いし、請求項３のようにしても良い。すなわち、請求項３の発明において、取付部は、液体容器の口部の内面に載置するストッパー片である。
【発明の効果】
【００１３】
請求項１のホルダーは、取付部によって液体容器の口部に取り付けられる。また、取付部から連続する連結部によって、スティック保持部を口部の内側に配置することができる。したがって、スティック保持部で保持された冷却スティックは、液体容器の内側に立った状態で配置され、液体に直に浸されることから、液体を直接冷却したり、保冷したりすることができる。
【００１４】
請求項２の発明によれば、スティック保持部は、各々複数の上片と下片を周片の周方向に沿って間隔を有して配列するので、この樹脂の弾力性によって上片と下片が変形し易くなり、上片と下片の間に鍔部を差し込んだり、逆に引き抜いたりする作業が容易に行える。
【００１５】
請求項３の発明は、ストッパー片を液体容器の口部の内面に載せるだけなので、液体容器への取付作業が簡単に行える。また、冷却スティックを支持する力がスティック保持部、連結部を介して取付部に伝わるが、ストッパー片によってホルダー全体の剛性が高まり、安定して冷却スティックを支えられる。
【発明を実施するための最良の形態】
【００１６】
図１〜図４に示すように、液体容器ユニットは、主にビールに代表される飲料を入れて保冷するもので、液体容器１、冷却スティック２、ホルダー３、及びカバー４から構成され、立てた冷却スティック２をホルダー３を介して液体容器１の中に出し入れ可能に収容し、液体容器１の上にカバー４を被せて使用する。
【００１７】
液体容器１は、合成樹脂製品であって、上方が開口しているコップ状というかジョッキ状である。液体容器１は、具体的には大ジョッキ、中ジョッキ、ピッチャーなどの比較的大型用が望ましい。液体容器１は、側周部１１と底部１２の内部に空室１３を連続して有する二重壁構造となっている。側周部１１には持ち手１４が付けてある。また、側周部１１の上部である口部１１ａは、その内周面を下窄まり、つまり下側に向かって直径が狭くなるテーパー形状に形成してあり、テーパー形状を利用してホルダー３を支持する。口部１１ａは、その周方向の一部に注ぎ口１１ｂを設けてある。
【００１８】
カバー４は、口部１１ａの上方を覆う天板部１７と、口部１１ａの外側を覆う垂下部１８とから構成され、天板部１７の外周に沿って垂下部１８を連続してある。また、天板部１７は、注ぎ口１１ｂに対応する箇所に、三角形状の泡切り部１７ａを斜め下方に向かって突出してある。泡切り部１７ａは、注ぎ口１１ｂよりも一回り小さな形状であって、注ぎ口１１ｂに嵌り込むものである。泡切り部１７ａには、表裏面を貫通する複数の狭孔１７ｂが設けられ、狭孔１７ｂから液体を注ぐようになっている。垂下部１８は、口部１１ａの全周のうち、注ぎ口１１ｂの箇所以外に設けてある。
【００１９】
冷却スティック２は、内部に蓄冷剤５が封入された棒状の胴部２１と、胴部２１の上端部からその全周に亘って外側に突出するリング状の鍔部２２とを備えるものである。また、冷却スティック２は、蓄冷剤５と、内部に蓄冷剤５を収容する縦長のケース体２３と、ケース体２３の上端に備わる開口部２３ａを塞ぐ蓋２４と、蓋２４に設けられた抜穴２４ａを塞ぐ栓２５とから構成し、合成樹脂製であるケース体２３、蓋２４、及び栓２５を超音波等の溶着によって一体化してある。
【００２０】
ケース体２３は、底のある細長い円筒状の蓄冷剤充填管２３ｂと、蓄冷剤充填管２３ｂの上端からその全周に亘って外側に突出するリング状の下鍔２３ｃとを備えるものである。なお、蓄冷剤充填管２３ｂの上端には、蓄冷剤５を入れる前述の開口部２３ａが備わっている。
【００２１】
蓋２４は円盤状であって、その外周部でリング状の上鍔２４ｂを構成し、この上鍔２４ｂとケース体２３の下鍔２３ｃとによって鍔部２２を構成してある。また、蓋２４は、その底面には蓄冷剤充填管２３ｂの上部内周に嵌り込む円形状の嵌合片２４ｃを垂下すると共に、その底面には嵌合片２４ｃの内側にリブ２４ｄを垂下してある。リブ２４ｄは、底面の中央部から嵌合片２４ｃへ放射状に延長している。さらに、蓋２４は、偏心した位置に栓２５を嵌合する抜穴２４ａを設け、抜穴２４ａの上部に座ぐり（符号省略）を設けてある。
【００２２】
栓２５は、座ぐりの付いた抜穴２４ａに対応する形状（軸部と、軸部よりも大径の頭部とからなる形状）であって、その上面が蓋２４よりも上側に突出している。
【００２３】
蓄冷剤５は半透明で、例えば塩分含有量が全体の重量比で１５％程度の配合割合のものを用い、その塩分含有量により、−２０℃〜−５℃の範囲で凍結又は解凍する性質を有するものを用いる。また、塩分となる材料として、塩化カリウムを用い、全体の重量比で１０〜２０％の配合割合とすることにより、ほぼ確実に蓄冷剤全体が凍結するものと推測される。また、Ｃ．Ｍ．Ｃ（カルボキシメチルセルロース）は、白色〜類白色の粉末であり、その性状は温水だけでなく冷水にも溶解し、溶解時には増粘性を呈するものである。このＣ．Ｍ．Ｃを蓄冷剤５の成分として全体の重量比で１．０〜２．０％で配合することにより、蓄冷剤５が粘結性を呈する。
【００２４】
ホルダー３は、冷却スティック２を着脱可能に保持するスティック保持部３１と、液体容器１の口部１１ａに対して着脱可能となる取付部４１と、取付部４１とスティック保持部３１とを連続する連結部４２とから構成した合成樹脂製品である。ホルダー３は、液体容器１の口部１１ａに掛け渡した形状となる。そして、ホルダー３によって、液体容器１の中に冷却スティック２を立てて支持することができる。
【００２５】
連結部４２は、全体として水平な板であって、円周方向に間隔をあけて配置された複数のスティック保持部３１をまとめて支持するものである。連結部４２は、中央を起点として放射状に延長する複数の支持板４３によって構成される。
【００２６】
支持板４３は、その途中にスティック保持部３１を備えると共に、その先端部が液体容器１の口部１１ａの内周面に達し、先端部に取付部４１を備えている。
【００２７】
取付部４１は、各支持板４３から上下に突出するストッパー片４１によって構成される。ストッパー片４１の下部は、液体容器１の口部１１ａの内面に載置される。
【００２８】
ストッパー片４１の上部は、カバー４の天板部１７の裏面に近接している。液体を注ぐときに液体容器１を傾けると、冷却スティック２が垂直になる方向にホルダー３が傾こうとするが、ストッパー片４１の上部が天板部１７に接触することから、口部１１ａの内面にストッパー片４１の下部が載った状態が維持される。
【００２９】
スティック保持部３１は、鍔部２２を利用して冷却スティック２を下から着脱（抜き差し）可能に連結するもので、鍔部２２の上側に配置する上片３２と、鍔部２２の下側に配置する下片３３と、上片３２と下片３３を繋ぐ周片３４とから構成してある。
【００３０】
冷却スティック２の上面に通じる同心円状の窓孔３５を中心にして、その周方向に間隔Ｓをおいて複数の上片３２が配列してある。言い換えれば、全ての上片３２に対して内側に囲まれる部分に窓孔３５が設けられ、窓孔３５に対して前記間隔Ｓが連続し且つ放射状に設けられている。また、上片３２の真下から外れた位置、つまり間隔Ｓの真下に下片３３が配置されている。したがって、上片３２と下片３３は、鍔部２２の周方向に沿って千鳥状に配置してある。しかも、平面視して上片３２と下片３３の間には周方向にギャップＧが設けてある。このギャップＧによって、洗浄する際に、下片３３の周方向両端部にも水やスポンジが当たりやすくなり、汚れを落とし易い。
【００３１】
上述したホルダー３は、複数の上片３２と下片３３を千鳥状に配置してあるので、上片３２の下面および下片３３の上面が洗浄しやすくなる。しかも、窓孔３５を設けてあるので、ホルダー３の上面の洗浄面が狭くなり、衛生的である。そのうえ、上片３２同士の間の間隔Ｓを窓孔３５に連続して設けてあるので、下片３３の上面を洗う際に、窓孔３５から高圧洗浄水をかけることや、窓孔３５側から前記間隔Ｓにスポンジを押し込んで洗うこともできる。
【００３２】
周片３４は、鍔部２２の外側を遊びとなる隙間（符号省略）を介して囲む円形のリングである。周片３４の周方向に沿って各々間隔をおいて複数の上片３２と下片３３とが設けられている。
【００３３】
上片３２は、平面視すると周片３４の周方向に沿う円弧状で、周片３４の上端から内向きに突出する水平な片である。また、上片３２の突出長を鍔部２２よりも内側に達するまで（胴部２１の外径よりも内側まで）長くしてある。したがって、取り付けの際に冷却スティック２が、勢いあまって窓孔３５を突き抜けるようなことがなくなる。
【００３４】
下片３３は、周片３４の下端から内向きに突出する片であって、上片３２と同様に円弧状であると共に、上片３２よりも突出長を短くしてある（周片３４の肉厚程度）。つまり、平面視すると、冷却スティック２の上面は円形であり、この円の中心を基準とする半径方向の幅を、下片３３は上片３２よりも狭く形成してある。それゆえ、下片３３は鍔部２２の下面縁部に浅く引っ掛かり、鍔部２２を着脱することが容易になる。
【００３５】
上述のホルダー３は次のようにして冷却スティック２を着脱する。作業者が、ホルダー３の下方から冷却スティック２の上面をスティック保持部３１に差し込むと、冷却スティック２の鍔部２２に押された下片３３が、その両側の間隔と合成樹脂の弾力性によって変形して押し広げられて、複数の上片３２と下片３３の間に鍔部２２が嵌り込む。一方、作業者がホルダー３の下方から冷却スティック２を引き抜くと、下片３３が同様に変形して、上片３２と下片３３の間から鍔部２２が外れる。
【００３６】
また、冷却スティック２が付いたホルダー３を、液体容器１の上から下ろし、ホルダー３のストッパー片４１を口部１１ａの内周面に載せると、ホルダー３が口部１１ａのテーパー形状によって位置決めされて液体容器１に取り付けられる。
【００３７】
本発明は上記実施形態に限定されない。たとえば、スティック保持部３１と鍔部２２との着脱構造には、バヨネット式マウントを採用しても良い。バヨネット式マウントとは、カメラのレンズ交換方式に用いられており、マウントとレンズ接合部に爪を設けて、ボディ側の空いている部分にレンズの爪を差し込み、一定の角度に回すと装着できるものである。例えば、鍔部２２を爪が放射状に突出する形態とし、この爪に対応する切欠を下片３３に設けるようなものである。
【００３８】
ホルダー３は、その下から冷却スティック２を抜き差し可能にするものに限らず、その上から抜き差し可能にするものでも良い。
【００３９】
ストッパー片４１は、支持板４３に対して、上下に突出するものに限らず、その下方にのみ、また上方にのみ突出するものでも良い。また、取付部４１は、ストッパー片４１に限らず、ストッパー片４１のないもの、つまり支持板４３の先端部であっても良い。
【００４０】
また、スティック保持部３１は、複数に限らず、一つ設けるものであってもよい。上片３２は、鍔部２２の周方向に沿って間隔Ｓをおいて設ける複数枚のものに限らず、鍔部２２の全周に亘って連続する１枚のものであっても良い。窓孔３５は、ない形状であっても良い。なお、液体容器１が例えば大・中ジョッキであれば、カバー４はなくても良い。
【図面の簡単な説明】
【００４１】
【図１】液体容器ユニットを構成する液体容器とカバーと冷却ステッィクとホルダーとの関係を示す分解図である。
【図２】ホルダーの平面図である。
【図３】（イ）（ロ）図は、ホルダーに冷却スティックを取り付けた使用状態を示す平面図、一部切欠正面図である。
【図４】液体容器ユニットを組み立て、液体を入れた使用状態を示す片側断面図である。
【符号の説明】
【００４２】
１液体容器、２冷却スティック、３ホルダー、４カバー、５蓄冷剤、
１１側周部、１１ａ口部、１１ｂ注ぎ口、１２底部、１３空室、１４持ち手、
１７天板部、１７ａ泡切り部、１７ｂ狭孔、１８垂下部、
２１胴部、２２鍔部、２３ケース体、２３ａ開口部、２３ｂ蓄冷剤充填管、２３ｃ下鍔、
２４蓋、２４ａ抜穴、２４ｂ上鍔、２４ｃ嵌合片、２４ｄリブ、２５栓、
３１スティック保持部、３２上片、３３下片、３４周片、３５窓孔、Ｓ間隔、
Ｇギャップ、４１取付部（ストッパー片）、４２連結部、４３支持板、
【図１】
2010070202.tif 000003
【図２】
2010070202.tif 000004
【図３】
2010070202.tif 000005
【図４】
2010070202.tif 000006